(57)【要約】【課題】各種タイプやサイズの機器ユニットに対応自在な電気電子機器収納用箱のダクト及びダクト組み付け方法に関する技術を提供すること。【解決手段】左右側面に冷気吸気口および暖気排気口を有する機器ユニットを、筐体内部に立設されたマウントアングルに取り付けて収納する電気電子機器収納用箱内で、筐体の前面あるいは背面方向の何れか一方から、機器ユニットの冷気吸気口へと向かう冷気の流路を形成するダクトであって、該ダクトは、垂直断面が略コ字形状の箱形状からなり、該コ字形状の開口側を機器ユニットの冷気吸気口に向けて配置され、該ダクトの前面あるいは背面の少なくとも何れか一方は、冷気供給口として開口し、該ダクト内部には、前後方向に移動自在の仕切り板を備える。【選択図】図３
2014017294.tif 000002
【特許請求の範囲】
【請求項１】
左右側面に冷気吸気口および暖気排気口を有する機器ユニットを、筐体内部に立設されたマウントアングルに取り付けて収納する電気電子機器収納用箱内で、筐体の前面あるいは背面方向の何れか一方から、機器ユニットの冷気吸気口へと向かう冷気の流路を形成するダクトであって、
該ダクトは、垂直断面が略コ字形状の箱形状からなり、該コ字形状の開口側を機器ユニットの冷気吸気口に向けて配置され、
該ダクトの前面あるいは背面の少なくとも何れか一方は、冷気供給口として開口し、
該ダクト内部には、前後方向に移動自在の仕切り板を備えることを特徴とする電気電子機器収納用箱のダクト。
【請求項２】
更に、機器ユニットの暖気排気口から排出される暖気の流路を、断面略コ字形状のダクトによって形成するダクトも備え、
該コ字形状の開口側を機器ユニットの暖気排気口に向けて配置したことを特徴とする請求項１記載の電気電子機器収納用箱のダクト。
【請求項３】
該ダクトは、各々、別部品である上部水平面部材と下部水平面部材と垂直面部材とを、組み付けて構成したことを特徴とする請求項１または２記載の電気電子機器収納用箱のダクト。
【請求項４】
該ダクトの上部水平面部材と下部水平面部材には、ダクトをマウントアングルへ固定する固定部を備え、
マウントアングルに固定されたダクトの垂直面部材と該マウントアングルとの間に形成される開口部を閉鎖する閉鎖部を備えることを特徴とする請求項１または２記載の電気電子機器収納用箱のダクト。
【請求項５】
該閉鎖部を、ダクトの垂直面部材の前後何れかの端部に延設したことを特徴とする請求項４記載の電気電子機器収納用箱のダクト。
【請求項６】
左右側面に冷気吸気口および暖気排気口を有する機器ユニットを、筐体内部に立設されたマウントアングルに取り付けて収納する電気電子機器収納用箱内で空気の流れを形成する断面略コ字形状のダクトを筐体内部に組み付けるダクト組み付け方法であって、
該ダクトは、上部水平面部材と下部水平面部材と垂直面部材を、断面略コ字形状に配置して構成されるとともに、内部には、前後方向に移動自在の仕切り板を備え、
別部品として形成された上部水平面部材と下部水平面部材とを、各々、面が垂直となるように立てながら、マウントアングルと筐体側壁との間に形成される空間から筐体内に挿入した後、上部水平面部材と下部水平面部材とを、各々、面が水平となるように回動してマウントアングルに固定し、
その後、垂直面部材を、面が垂直となるように立てながら、マウントアングルと筐体側壁との間に形成される空間から筐体内に挿入して、上部水平面部材と下部水平面部材とに組み付けることを特徴とするダクト組み付け方法。
【請求項７】
左右側面に冷気吸気口および暖気排気口を有する機器ユニットを、筐体内部に立設されたマウントアングルに取り付けて収納する電気電子機器収納用箱内で空気の流れを形成する断面略コ字形状のダクトを筐体内部に組み付けるダクト組み付け方法であって、
該ダクトは、上部水平面部材と下部水平面部材と垂直面部材を、断面略コ字形状に配置して構成されるとともに、内部には、前後方向に移動自在の仕切り板を備え、
別部品として形成された下部水平面部材を、面が垂直となるように立てながら、マウントアングルと筐体側壁との間に形成される空間から筐体内に挿入した後、下部水平面部材を面が水平となるように回動してマウントアングルに固定し、
次に、垂直面部材を、面が垂直となるように立てながら、マウントアングルと筐体側壁との間に形成される空間から筐体内に挿入して、垂直面部材と下部水平面部材に組み付け、その後、別部品として形成された上部水平面部材を、面が垂直となるように立てながら、マウントアングルと筐体側壁との間に形成される空間から筐体内に挿入した後、上部水平面部材を、面が水平となるように回動して垂直面部材と上部水平板部財を組み付けるとともに、上部水平面部材をマウントアングルに固定することを特徴とするダクト組み付け方法。
【発明の詳細な説明】
【技術分野】
【０００１】
本発明は、電気電子機器収納用箱のダクト及びダクト組み付け方法に関するものである。
【背景技術】
【０００２】
サーバー等、熱を放出する機器ユニットが収納された電気電子機器収納用箱（以下、背景技術欄において、キャビネットという）内における温度上昇を抑制する技術として、キャビネット内に冷却装置を配置した上で、冷却装置から吹き出される冷気と、機器ユニットから排出される暖気が、キャビネット内で混じりあわないように、キャビネット内に隔壁を設ける技術が開示されている(特許文献１)。
【０００３】
特許文献1記載の技術は、縦・横・奥行フレームで外枠フレームが形成され、キャビネット内には４本のマウントアングルが垂直に立設されているキャビネットにおいて、マウントアングルと略同一長さで、マウントアングルから隣接するキャビネットの側壁までの長さと略同一幅を有する隔壁を、マウントアングルのうち２本に取り付けて、キャビネットの内部空間を２分するものである。
【０００４】
しかし、機器ユニットのサイズには様々なものがあるところ、特許文献1記載の隔壁でキャビネットの内部空間を２分してしまうと、同一のキャビネット内に収納可能な機器ユニットのタイプが限定されてしまい不便であるという問題があった。
【０００５】
具体的には、特許文献1記載の技術は、機器ユニットの前後左右が４本のマウントアングルで固定されることを前提とするものであり、例えば、左右側面に冷気吸気口および暖気排気口を有する機器ユニットに対応すべく、特許文献1の図３のように、隔壁の一方を前方のマウントアングルに設け、他方を後方のマウントアングルに設けてもキャビネットの内部空間を２分した場合であっても、機器ユニットの奥行長さが前後に配置されたマウントアングル間の距離よりも小さい場合には、前方２本のマウントアングル側に取り付けられた機器ユニットの背面は、後方２本のマウントアングルまで届かないため、冷気と暖気の混じりあいが生じてしまう問題があった。
【先行技術文献】
【特許文献】
【０００６】
【特許文献１】特開２００８−１１７８７６号公報
【発明の概要】
【発明が解決しようとする課題】
【０００７】
本発明の目的は前記の問題を解決し、各種タイプやサイズの機器ユニットに対応自在な電気電子機器収納用箱のダクト及びダクト組み付け方法に関する技術を提供することである。
【課題を解決するための手段】
【０００８】
上記課題を解決するためになされた本発明の電気電子機器収納用箱のダクトは、左右側面に冷気吸気口および暖気排気口を有する機器ユニットを、筐体内部に立設されたマウントアングルに取り付けて収納する電気電子機器収納用箱内で、筐体の前面あるいは背面方向の何れか一方から、機器ユニットの冷気吸気口へと向かう冷気の流路を形成するダクトであって、該ダクトは、垂直断面が略コ字形状の箱形状からなり、該コ字形状の開口側を機器ユニットの冷気吸気口に向けて配置され、該ダクトの前面あるいは背面の少なくとも何れか一方は、冷気供給口として開口し、該ダクト内部には、前後方向に移動自在の仕切り板を備えることを特徴とするものである。
【０００９】
請求項２記載の発明は、請求項１記載の電気電子機器収納用箱のダクトにおいて、更に、機器ユニットの暖気排気口から排出される暖気の流路を、断面略コ字形状のダクトによって形成するダクトも備え、該コ字形状の開口側を機器ユニットの暖気排気口に向けて配置したことを特徴とするものである。
【００１０】
請求項３記載の発明は、請求項１または２記載の電気電子機器収納用箱のダクトにおいて、該ダクトは、各々、別部品である上部水平面部材と下部水平面部材と垂直面部材とを、組み付けて構成したことを特徴とするものである。
【００１１】
請求項４記載の発明は、請求項１または２記載の電気電子機器収納用箱のダクトにおいて、該ダクトの上部水平面部材と下部水平面部材には、ダクトをマウントアングルへ固定する固定部を備え、マウントアングルに固定されたダクトの垂直面部材と該マウントアングルとの間に形成される開口部を閉鎖する閉鎖部を備えることを特徴とするものである。
【００１２】
請求項５記載の発明は、請求項４記載の電気電子機器収納用箱のダクトにおいて、該閉鎖部を、ダクトの垂直面部材の前後何れかの端部に延設したことを特徴とするものである。
【００１３】
請求項６記載のダクト組み付け方法は、左右側面に冷気吸気口および暖気排気口を有する機器ユニットを、筐体内部に立設されたマウントアングルに取り付けて収納する電気電子機器収納用箱内で空気の流れを形成する断面略コ字形状のダクトを筐体内部に組み付けるダクト組み付け方法であって、該ダクトは、上部水平面部材と下部水平面部材と垂直面部材を、断面略コ字形状に配置して構成されるとともに、内部には、前後方向に移動自在の仕切り板を備え、別部品として形成された上部水平面部材と下部水平面部材とを、各々、面が垂直となるように立てながら、マウントアングルと筐体側壁との間に形成される空間から筐体内に挿入した後、上部水平面部材と下部水平面部材とを、各々、面が水平となるように回動してマウントアングルに固定し、その後、垂直面部材を、面が垂直となるように立てながら、マウントアングルと筐体側壁との間に形成される空間から筐体内に挿入して、上部水平面部材と下部水平面部材とに組み付けることを特徴とするものである。
【００１４】
請求項７記載のダクト組み付け方法は、左右側面に冷気吸気口および暖気排気口を有する機器ユニットを、筐体内部に立設されたマウントアングルに取り付けて収納する電気電子機器収納用箱内で空気の流れを形成する断面略コ字形状のダクトを筐体内部に組み付けるダクト組み付け方法であって、該ダクトは、上部水平面部材と下部水平面部材と垂直面部材を、断面略コ字形状に配置して構成されるとともに、内部には、前後方向に移動自在の仕切り板を備え、別部品として形成された下部水平面部材を、面が垂直となるように立てながら、マウントアングルと筐体側壁との間に形成される空間から筐体内に挿入した後、下部水平面部材を面が水平となるように回動してマウントアングルに固定し、次に、垂直面部材を、面が垂直となるように立てながら、マウントアングルと筐体側壁との間に形成される空間から筐体内に挿入して、垂直面部材と下部水平面部材に組み付け、その後、別部品として形成された上部水平面部材を、面が垂直となるように立てながら、マウントアングルと筐体側壁との間に形成される空間から筐体内に挿入した後、上部水平面部材を、面が水平となるように回動して垂直面部材と上部水平板部財を組み付けるとともに、上部水平面部材をマウントアングルに固定することを特徴とするものである。
【発明の効果】
【００１５】
本発明では、左右側面に冷気吸気口および暖気排気口を有するタイプの機器ユニットへの冷気循環構造として、筐体の前面あるいは背面方向の何れか一方から、機器ユニットの冷気吸気口へと向かう冷気の流路を形成するダクトとして、垂直断面が略コ字形状の箱形状を採用し、該コ字形状の開口側を機器ユニットの冷気吸気口に向けて配置し、該ダクトの前面あるいは背面の少なくとも何れか一方は、冷気供給口として開口し、該ダクト内部には、前後方向に移動自在の仕切り板を備える構成とすることにより、空気流路となる空間を、機器ユニットの奥行長さごとに自在に調整可能としている。したがって、本発明によれば、同一の筐体内に収納される機器ユニットの奥行長さが異なる場合でも、各ユニットごとに前記構成のダクトを取り付けて使用することができ、各々の機器ユニットに、効率良く冷気を供給することができる。
【００１６】
請求項２記載の発明によれば、更に、機器ユニットの暖気排気口から排出される暖気の流路を、断面略コ字形状のダクトによって形成するダクトも備え、該コ字形状の開口側を機器ユニットの暖気排気口に向けて配置した構成とすることにより、更に的確に吸排気の流れを制御することができ、熱効率に優れた空気循環を行うことができる。
【００１７】
請求項３および６記載の発明によれば、各々、別部品である上部水平面部材と下部水平面部材と垂直面部材とを、組み付けてダクトを構成することにより、マウントアングルと筐体側壁との間に形成される空間が狭い場合にも、別部品として形成された上部水平面部材と下部水平面部材とを、各々、面が垂直となるように立てながら、マウントアングルと筐体側壁との間に形成される空間から筐体内に挿入した後、上部水平面部材と下部水平面部材とを、各々、面が水平となるように回動してマウントアングルに固定し、その後、垂直面部材を、面が垂直となるように立てながら、マウントアングルと筐体側壁との間に形成される空間から筐体内に挿入して、上部水平面部材と下部水平面部材とに支持させることにより、新たな機器ユニットが追加された場合等に、筐体に収納済みの機器ユニットを外すことなく、ダクトの組み付けを行うことができる。
【００１８】
請求項４記載の発明によれば、該ダクトの上部水平面部材と下部水平面部材には、ダクトをマウントアングルへ固定する固定部を備え、マウントアングルに固定されたダクトの垂直面部材と該マウントアングルとの間に形成される開口部を閉鎖する閉鎖部を備える構成により、更に的確に吸排気の流れを制御することができ、熱効率に優れた空気循環を行うことができる。
【００１９】
請求項５記載の発明は、該閉鎖部を、ダクトの垂直面部材の前後何れかの端部に延設することにより、ダクトの構成部品点数を少なくすることができる。
【００２０】
請求項７載の発明によれば、各々、別部品である上部水平面部材と下部水平面部材と垂直面部材とを、組み付けてダクトを構成することにより、マウントアングルと筐体側壁との間に形成される空間が狭くマウントアングルの支持部材がある場合にも、別部品として形成された下部水平面部材を、面が垂直となるように立てながら、マウントアングルと筐体側壁との間に形成される空間から筐体内に挿入した後、下部水平面部材を面が水平となるように回動してマウントアングルに固定し、次に、垂直面部材を、面が垂直となるように立てながら、マウントアングルと筐体側壁との間に形成される空間から筐体内に挿入して、垂直面部材と下部水平面部材に組み付け、その後、別部品として形成された上部水平面部材を、面が垂直となるように立てながら、マウントアングルと筐体側壁との間に形成される空間から筐体内に挿入した後、上部水平面部材を、面が水平となるように回動して垂直面部材と上部水平板部財を組み付けるとともに、上部水平面部材をマウントアングルに固定することにより、新たな機器ユニットが追加された場合等に、筐体に収納済みの機器ユニットを外すことなく、マウントアングルの支持部材を避けてダクトの組み付けを行うことができる。
【図面の簡単な説明】
【００２１】
【図１】電気電子機器収納用箱の内部を説明する全体斜視図である。
【図２】図１の要部を拡大図である。
【図３】図２を背面側から見た図である。
【図４】ダクトの全体斜視図である。
【図５】ダクトの構成部材のうち、垂直面部材を除いた状態図である。
【図６】図５の上部水平面部材の上面図である。
【図７】図５のＢ−Ｂ断面図である。
【図８】図２のＡ−Ａ断面図である。
【図９】仕切り板の調整手段の説明図である。
【図１０】ダクトの組み付け方法の説明図である。
【図１１】ダクトの組み付け方法の説明図である。
【図１２】ダクトの組み付け方法の説明図である。
【図１３】電気電子機器収納用箱の水平断面で冷気および暖気の流路を説明する図である。
【図１４】変形例のダクトの組み付け方法の説明図である。
【図１５】変形例のダクトの組み付け方法の説明図である。
【図１６】変形例のダクトの組み付け方法の説明図である。
【図１７】第２の実施形態のダクトを機器ユニットに取り付けた状態を示す図である。
【図１８】第２の実施形態の機器ユニットを取り外した状態を示す図である。
【図１９】第２の実施形態の電気電子機器収納用箱の水平断面で冷気および暖気の流路を説明する図である。
【発明を実施するための形態】
【００２２】
以下に本発明の好ましい実施形態を示す。
【００２３】
（第１の実施形態）
図１に示すように、電気電子機器収納用箱１は横フレーム２、奥行きフレーム３、縦フレーム４でフレーム枠体が形成され、フレーム枠体の縦フレーム４より内部に機器ユニット６を取り付けるマウントアングル５が４本垂直に立設されている。機器ユニット６は、通常、図１および図２に示すように、マウントアングル５の下から上に順に取り付けられ、上部は空きスペースとなっていることもある。
【００２４】
機器ユニット６は、左右側面に冷気吸気口および暖気排気口を有するタイプのものである。本実施形態の機器ユニット６は、図１および図２の紙面右側から吸気、左側から排気を行うものであり、機器ユニット６の左右両側面で冷気吸気口および暖気排気口を覆うように、垂直断面が略コ字形状のダクト７が配置されている。
【００２５】
ダクト７は、図４に示すように、別部品である上部水平面部材８と下部水平面部材９と垂直面部材１０とを組み付けて構成されている。ただし、上部水平面部材８と下部水平面部材９は、上下前後反転させることで、部品を共用することができる。
【００２６】
図５に示すように、上部水平面部材８と下部水平面部材９には、固定部１１が形成され、該固定部１１がマウントアングル５にネジ止めされている。
【００２７】
また、上部水平面部材８と下部水平面部材９には、固定部１１に隣接して、マウントアングル５を受ける切欠き部１４が形成されている。
【００２８】
更に、上部水平面部材８と下部水平面部材９には、垂直面部材１０を嵌め込む溝状レール部１５を備えている。
【００２９】
本実施形態では、図６に示すように、上部水平面部材８と下部水平面部材９を、各々、前側ピース８１、９１および後側ピース８２、９２から構成される２分割構造としている。
【００３０】
図６に示すように、後側ピース８２、９２には、前側ピース８１、９１に設けたスライド軸１２をスライド自在に受ける長孔１３が形成されている。
【００３１】
前記の溝状レール部１５は、図７に示すように、後側ピース８２、９２には、前側ピース８１、９１の各々の側面端部に垂直片１６を折り曲げた上で、後側ピース８２、９２および前側ピース８１、９１の各々にＬ字状レール部材１７を溶接して形成されている。
【００３２】
本実施形態では、図１に示すように、機器ユニット６の奥行長さが前後に配置されたマウントアングル間の距離よりも小さくなっているが、図８に示すように、機器ユニットの冷気吸気口側（紙面右側）に設けたダクト７の内部には、前後方向に移動自在の仕切り板１８を備えているため、この仕切り板１８を機器ユニットの背面位置に調整して冷気吸気口へ向かう冷気の流路を最適に調整することができる。
【００３３】
本実施形態では、図９に示すように、Ｌ字状レール部材１７の垂直壁部１９に、仕切り板１８に設けたねじ２１をスライド自在に受ける長孔２０が形成され、水平断面がＬ字状の仕切り板１８のねじ２１の調節によって、仕切板を前後方向に自在に移動させることができる。仕切り板１８を移動自在に保持する機構は、本実施形態に限定されず、例えば、上部水平面部材８や下部水平面部材９または垂直面部材１０に、仕切り板１８に設けたねじ２１をスライド自在に受ける長孔２０を形成することもできる。
【００３４】
本実施形態は、マウントアングル５に機器ユニット６を取り付けた後に、ダクト７を取り付けることを想定したものであり、図１０に示すように、上部水平面部材８と下部水平面部材９とを、各々、上部水平面２２および下部水平面２３が垂直となるように立てながら、マウントアングル５と縦フレーム４との間に形成される空間から筐体内に挿入した後、図５に示すように、上部水平面２２および下部水平面２３が、各々、水平となるように９０°回動してマウントアングル５に固定し、その後、図１１に示すように、垂直面部材１０を、上部水平面部材８と下部水平面部材９の各々に設けた溝状レール部１５に挿入することにより、ダクト７を取り付けることができる。
【００３５】
本実施形態では、図１２に示すように、垂直面部材１０も２分割構造としている。また、暖気排気口側（図１の紙面左側）の垂直面部材１０の前端部および冷気吸気口側（図１の紙面右側）の垂直面部材１０の後端部には、各端部を機器ユニット６方向に向けて折り曲げて閉鎖部２５が形成されており、該閉鎖部２５はダクト７の垂直面とマウントアングルとの間に形成される開口部２４を閉鎖する機能を奏している。閉鎖部２５は、直面部材１０とは独立した別部材を取り付ける構造とすることもできる。
【００３６】
垂直面部材１０を溝状レール部１５に挿入後、閉鎖部２５は、上部水平面部材８および下部水平面部材９の固定部１１にネジ止めされている。
【００３７】
上部水平面部材８および下部水平面部材９の設置高さ位置は、機器ユニットの吸排気孔に対応した位置とすることが好ましいが、機器ユニット全体の高さにしたものでよい。
【００３８】
本実施形態では、図１３に示すように、冷気吸気口側（図１３の紙面右側）に設けたダクト７の前面は開口部２４として冷気の導入路とし、仕切り板１８の位置を機器ユニット６の背面位置と揃えて外部からの暖気混入防止を図っている。また、暖気排気口側（図１３の紙面左側）に設けたダクト７の前面は閉鎖部２５で閉鎖されて、後面のみを開口させているため、暖気排気口から排出された暖気を確実に背面側に排出することができる。
【００３９】
実施形態１の変形例を図１４から図１６を用いて説明する。上記の実施形態１では上部水平面部材８と下部水平面部材９をマウントアングル５に固定した後に垂直面部材１０を溝状レール１５に挿入してダクトを組み付けていたが、マウントアングル５の支持部材２９が邪魔になることがあるので、変形例では、図１４に示すように、下部水平面部材９をマウントアングル５に固定した後に、垂直面部材１０を支持部材２９を避けてマウントアングル５と筐体側壁との間に形成される空間から筐体内に挿入し、図１５に示すように、下部水平面部材９に固定具３０によって組み付け、垂直面部材１０と上部水平面部材８、下部水平面部材９とはワンタッチの係止部材で係止している。その後、上部水平面部材８をマウントアングルと筐体側壁との間に形成される空間から筐体内に挿入して垂直面部材１０に固定部３０によって組み付けるとともに、上部水平面部材８をマウントアングル５に固定し、図１６に示す状態とする。このようなものでは、マウントアングル５の支持部材２９があっても作業の邪魔にならず、固定具３０とワンタッチの係止部材を用いて固定するだけなので、Ｌ字状レール部材が不要となり部品点数が減り溶接作業もないので製作が容易になる。
【００４０】
（第２の実施形態）
第1の実施形態は、マウントアングル５に機器ユニット６を取り付けた後に、ダクト７を取り付けることを想定したものであったが、本実施形態では、機器ユニットを取り付ける前や、取り付けた機器ユニットを一旦取り外した後に、ダクト７を取り付けることを想定したものである。
【００４１】
図１７に示すように、垂直面部材１０は上下、前後に4分割されており、機器ユニットの前後方向や上下方向の寸法によって、大きさを調整できるようになっている。具体的には、各々の分割ピースに２列の長孔１３を設けてスライド自在になっている。
【００４２】
図１８に示すように、ダクト７の内部空間には空気がスムーズに流れるように垂直方向に斜めの仕切板１８がスライド自在に取り付けられており、前記した分割ピースの上下方向の長さ調整に対応できるように、仕切板１８も上下方向に長さ調整できるようになっている。本実施形態では、仕切板１８をスライドさせる長孔２６を、分割された垂直面部材１０を前後方向でスライド自在とする長孔１３と兼用させた構造としている。なお、複数の機器ユニットを一つのダクトによって対応するようにしてもよい。
【００４３】
機器ユニット６は前面側２本のマウントアングル５、若しくは前後4本のマウントアングル５に取り付けられ、右側部分の吸気側では、仕切板１８の端部が機器ユニットの吸気孔よりも後側に位置するようにスライド調整して位置するようにしてある。
【００４４】
この仕切板は、図１９に示すように、前側から吸気された空気が機器ユニットの吸気孔にスムーズに流れるように位置をスライド調節して配置されている。左側の排気側では、仕切板の端部が機器ユニットの排気孔よりも前側に位置するようにスライド調整して配置され、機器ユニットの排気孔からの空気がスムーズにキャビネット後側に流れるように構成されている。
【００４５】
図１９に示す実施形態では、機器ユニット６内のファンによって空気が吸い込まれることによって、キャビネット前側から導かれた空気はダクト７内に入り、仕切板１８に案内されてスムーズに機器ユニットの吸気孔２７に吸い込まれる。また機器ユニットの排気孔２８から排気された空気は仕切板１８によって案内されてダクト７によってキャビネット後側にスムーズに排気される。このときキャビネット後側に排気された暖かい空気は前記した吸気側のダクトの仕切板１８に封じ込められて再び機器ユニットの吸気孔に入ることがなく、ショートサーキットが起こらないので効率がよいものである。また、上下に積載される各々の機器ユニット間にはダクトの上板部と下板部により風が混ざらず各々の機器ユニットの吸い込み能力によってキャビネット前側から各々吸い込むことができるものである。
【００４６】
また、ダクトは上下、前後に4つの分割ピースを組み合わせて大きさをスライド自在に構成できるので、上下に積載される機器ユニットの大きさが違う場合や、機器ユニットが空になる場合などでも自在に対応できるものである。そして、機器ユニットにより吸気孔や排気孔の位置が異なる場合でも、仕切板を前後方向でスライド自在としてあるので、対応できるものである。
【００４７】
なお、上記何れの実施形態でも、仕切板をスライド自在とするために長孔構造を用いているが、長孔構造の他、列状の複数の孔を設けた構造や、面テープなどで任意の位置で固定できるようにした構造とすることもできる。ダクトを構成する各分割ピースについても同様である。
【００４８】
上記何れの実施形態でも、ダクト７をマウントアングル５に取り付けたもので説明を行ったが、ダクト７は縦フレーム２に取り付けてもよい。
【符号の説明】
【００４９】
１  電気電子機器収納用箱
２  横フレーム
３  奥行きフレーム
４  縦フレーム  
５  マウントアングル
６  機器ユニット
７  ダクト
８  上部水平面部材
９  下部水平面部材
８１、９１  前側ピース
８２、９２  後側ピース
１０  垂直面部材
１１  固定部
１２  スライド軸
１３  長孔
１４  切欠き部
１５  溝状レール部
１６  垂直片
１７  Ｌ字状レール部材
１８  仕切り板
１９  垂直壁部
２０  長孔
２１  ねじ
２２  上部水平面
２３  下部水平面
２４  開口部
２５  閉鎖部
２６  長孔
２７  吸気孔
２８  排気孔
２９  支持部材
３０  固定具
【図１】
2014017294.tif 000003
【図２】
2014017294.tif 000004
【図３】
2014017294.tif 000005
【図４】
2014017294.tif 000006
【図５】
2014017294.tif 000007
【図６】
2014017294.tif 000008
【図７】
2014017294.tif 000009
【図８】
2014017294.tif 000010
【図９】
2014017294.tif 000011
【図１０】
2014017294.tif 000012
【図１１】
2014017294.tif 000013
【図１２】
2014017294.tif 000014
【図１３】
2014017294.tif 000015
【図１４】
2014017294.tif 000016
【図１５】
2014017294.tif 000017
【図１６】
2014017294.tif 000018
【図１７】
2014017294.tif 000019
【図１８】
2014017294.tif 000020
【図１９】
2014017294.tif 000021